(57)【要約】      （修正有）【課題】人体生理徴候を探知して、パイロットやドライバーの健康状態を常時把握し、運行安全を確保する装置を組み込んだ運行設備を提供する。【解決手段】人体の生理徴候を感測し、それを通報する計測素子１１と、受信した生理徴候信号を情報信号に転換し、これを表示装置１２、通信装置２１、またはGPS交信器２２に出力して、表示、通信、または位置決めできる、人体生理徴候処理及び感測装置を組み込んだ運行設備２である。【選択図】図１
0003139011.tif 000002
【実用新案登録請求の範囲】
【請求項１】
人類の使用する各種の動力で駆動される運行設備において、
人体の生理徴候を感知し、これを信号として生理徴候処理及び監測装置に出力する計測素子と、
前記計測素子から受信した人体生理徴候信号を情報信号に転換して、これを表示装置、通信装置、またはGPS交信器に出力する人体生理徴候の処理及び監測装置を組み込んだことを特徴とする、運行設備。
【請求項２】
人類の使用する各種の動力で駆動される運行設備において、
人体の生理徴候を感知し、これを信号として生理徴候処理及び監測装置に出力する計測素子と、
前記計測素子から受信した人体生理徴候信号を情報信号に転換して、これを表示装置、通信装置、またはGPS交信器に出力する前記人体生理徴候の処理及び監測装置と、
表示装置、通信装置、またはGPS交信器を需要に応じて選択し、前記運行設備内の適当な位置に安置し、前記生理徴候の処理及び監測装置からの情報信号を受信して、これを表示、警告、位置決め、または遠方に送信する監視制御手段を組み込んだことを特徴とする、運行設備。
【請求項３】
人類の使用する各種の動力で駆動される運行設備において、
人体の生理徴候を感知し、これを信号として生理徴候処理及び監測装置に出力する計測素子と、
前記計測素子から受信した人体生理徴候信号を情報信号に転換して、これを表示装置に出力する前記人体生理徴候の処理及び監測装置と、
前記運行設備内の適当な位置に安置され、前記人体生理徴候の処理及び監測装置から出力された情報信号を受信し、これを表示、または警示する表示装置を組み込んだことを特徴とする、運行設備。
【請求項４】
人類の使用する各種の動力で駆動される運行設備において、
人体の生理徴候を感知し、これを信号として生理徴候処理及び監測装置に出力する計測素子と、
前記計測素子から受信した人体生理徴候信号を情報信号に転換して、これを通信装置に出力する前記人体生理徴候の処理及び監測装置と、
前記人体生理徴候の処理及び監測装置から出力された情報信号を受信し、これを遠方に伝送する前記通信装置を組み込んだことを特徴とする、運行設備。
【請求項５】
人類の使用する各種の動力で駆動される運行設備において、
人体の生理徴候を感知し、これを信号として生理徴候処理及び監測装置に出力する計測素子と、
前記計測素子から受信した人体生理徴候信号を情報信号に転換して、これをGPS交信器に出力する前記人体生理徴候の処理及び監測装置と、
前記人体生理徴候の処理及び監測装置から出力された情報信号を受信し、GPSで位置決めし、この位置情報を遠方に送信するGPS交信器を組み込んだことを特徴とする、運行設備。
【請求項６】
前記計測素子は、触圧されて電気回路を形成し感測する機能を持つ導電片であることを特徴とする、請求項1から請求項5のいずれかの１項に記載の運行設備。
【請求項７】
前記導電片は、運行設備の操作器に結合されていることを特徴とする、請求項6に記載の感測及び処理装置。
【請求項８】
前記導電片は、運行設備の操縦者の手袋に連結されていることを特徴とする、請求項6に記載の運行設備。
【請求項９】
前記人体生理徴候の処理及び監測装置は、Lead Iの心電現象や脈拍を感測して心電図を記録し、またST segmentを監測して心筋の酸素欠乏徴候を早期発見することを特徴とする、請求項1から請求項5のいずれかの1項に記載の運行設備。
【請求項１０】
前記人体生理徴候の処理及び監測装置は、Lead II、IIIまたはAVR、AVF、V1〜V6を感測して、一層正確な感測効果を達成することを特徴とする、請求項1から請求項5のいずれかの1項に記載の運行設備。
【請求項１１】
前記人体生理徴候の処理及び監測装置は、指紋の識別機能を有することを特徴とする、請求項1から請求項5のいずれかの1項に記載の運行設備。
【請求項１２】
前記人体生理徴候の処理及び監測装置は、触圧により記録する機能を有することを特徴とする、請求項1から請求項５のいずれかの1項に記載の運行設備。
【請求項１３】
前記人体生理徴候の処理及び監測装置は、血糖、血圧、血中酸素、体温、汗量、呼吸、脳波などの生理徴候を感測する機能を有することを特徴とする、請求項1から請求項のいずれかの1項に記載の運行設備。
【請求項１４】
前記人体生理徴候の処理及び監測装置は、RFIDと組み合わせる機能を有することを特徴とする、請求項1から請求項5のいずれかの1項に記載の運行設備。
【請求項１５】
前記人体生理徴候の処理及び監測装置は、影像と音声を記録できることを特徴とする、請求項1から請求項5のいずれかの1項に記載の運行設備。
【請求項１６】
前記人体生理徴候の処理及び監測装置は、運行設備の操縦者の操縦中における凡ての生命の徴候を記録、ストアして分析に供することを特徴とする、請求項1から請求項5のいずれかの1項に記載の運行設備。
【請求項１７】
前記人体生理徴候の処理及び監測装置は、アラーム信号を警報器に出力し、後続の車両に危険を避けるよう警戒することを特徴とする、請求項1から請求項5のいずれかの1項に記載の運行設備。
【請求項１８】
前記運行設備とは、機動車両、船舶、潜水艇、軍用機を含む航空機、スペース・シャトルなど陸地、海洋及び空中を運行する運行設備であることを特徴とする、請求項1から請求項5のいずれかの1項に記載の運行設備。
【考案の詳細な説明】
【技術分野】
【０００１】
本考案は人体生理徴候の処理及び監測装置を組み込んだ運行設備に関するもので、運行設備の操縦者が随時この感測及び処理装置を通じて自身の生理徴候に注意し、運行設備の運行中の安全を確保し、付加価値を高める運行設備に関するものである。
【背景技術】
【０００２】
科学技術の進歩に伴い、各種運行設備、例えば自動車、船舶、航空器、その他の機動車なども多元化を期して発展して行く様相を呈している。目下使用者が運行設備を購入するに当たり、先ずその価格、性能、安逸性、安定性と実用性を考慮する外、安全性も益々重視されるようになってきた。従って運行設備の設計者や製造者もその安全性に重点を措かざるを得ないようになった。
【０００３】
自動車を例に取ってみても、安全性を確保するため、車体を堅固に構成する外、安全に関するアクセサリーは、安全気嚢、ABSブレーキ系統、後退レーダ、第三ブレーキ灯と枚挙に暇がない状態である。ソフト・ウェア、ハード・ウェアの不断の改良もひとえに、乗用者の安全を期すためになされているのである。然るに上記の措置は受動的なものであり、ドライバーの生理徴候を常時監視して異常を発見し、禍を未然に防ぐことが尤も肝要であることは言うまでない。
【０００４】
体温、血圧、脈拍、血糖、血中酸素などのデータを体表から感測する技術はもう既に珍しいものではない。更に一歩進んだ生理機能の感測儀器も成熟した医療機器となっている。もしその功能を拡張してセンサーから得たデータを処理し、その結果を表示し、警報を発し、ストアし、また他所に伝達ができたら、人類の福祉に如何ばかりの貢献を与えるであろうか、計り知れないものがある。
【０００５】
以上の見方に基づいて、目前使用率の非常に高い運行設備に人体生理徴候の処理及び感測装置を搭載して、運転者の生理徴候を常時監視できれば、交通事故を未然に防止でき、交通安全の確保に一層寄与するものである。これは今後の運行設備発展上の首要な課題となるであろう。
【０００６】
本願の考案者は、過去台湾で上述の装置に関した幾つかの実用新案特許を得てきた。例を挙げれば１．「携帯電話と組み合わせた生理機能探知装置」（台湾0045402号）。２．「生命感測儀器と結合したパーソナル・ディジタル・アシスタントの伝送インターフェース」（台湾00462000号）。３．「携帯電話と結合した人体機能信号処理装置」（台湾2004412777号）。４．「イヤホン式生命機能探知装置」（台湾M241002号）。５．「生命情報無線伝送系統」（台湾1249122号）。６．「耳温感知器を含んだ携帯通信装置」（台湾M292221号）。７．「携帯通信装置と結合した耳温感知器」（台湾M296028号）。８．「携帯通信器に装置された人体機能検知モジュール」（台湾M309299号）などがある。
【０００７】
上述の技術になお改善の余地がある事実に鑑み、本願の考案者は一層実用に適し、人類の健康と交通の安全に寄与する装置を開発せんがため、長年苦心研鑽の結果、遂に本願の人体生理徴候の処理及び監測装置を組み込んだ、運行設備の開発の成功を見るに至ったのである。
【特許文献１】台湾0045402号「携帯電話と組み合わせた生理機能探知装置」
【特許文献２】台湾00462000号「生命感測儀器と結合したパーソナル・ディジタル・アシスタントの伝送インターフェース」
【特許文献３】台湾2004412777号「携帯電話と結合した人体機能信号処理装置」
【特許文献４】台湾M241002号「イヤホン式生命機能探知装置」
【特許文献５】台湾1249122号「生命情報無線伝送系統」
【特許文献６】台湾M292221号「耳温感知器を含んだ携帯通信装置」
【特許文献７】台湾M296028号「携帯通信装置と結合した耳温感知器」
【特許文献８】台湾M309299号「携帯通信器に装置された人体機能検知モジュール」
【考案の開示】
【考案が解決しようとする課題】
【０００８】
本考案の目的は、運行設備の操縦者（運転者）が随時自身の生理徴候に注意して、運行中の安全を確保し、またその付加価値を高めることができる、人体生理徴候の処理及び監測装置を組み込んだ運行設備を提供する所にある。
【０００９】
本考案のまた1つの目的は、各種の運行設備、例えば航空器、船舶、機動車両、船舶、ロケット、スペース・シャトル、潜水艇などに人体生理徴候の処理及び監測装置を組み込んで、常時操縦者（運転者）が触圧方式で自身の生理徴候を感測できるようにする所にある。
【００１０】
本考案の更に1つの目的はコストが安く、操作が簡単で、小型且つ応用範囲の広い、運行設備に組み込める人体生理徴候の処理及び監測装置を提供する所にある。
【課題を解決するための手段】
【００１１】
上記の目的を達成するため、本考案では人類の使用する各種の動力で駆動される運行設備において、人体の生理徴候を感知し、これを信号として生理徴候処理及び監測装置に出力する計測素子と、計測素子から受信した人体生理徴候信号を情報信号に転換して、これを表示装置、通信装置、またはGPSとの交信器に出力する、人体生理徴候の処理及び監測装置とを組み込んだ運行設備を提供し、この情報信号を表示したり、警報を発したり、記録したり、ストアしたり、GPSと交信して位置決めしたり、これらの情報を遠隔地に送信したりするようにした。運行設備の操縦者（運転者）は、常時この装置を利用して自身の生理徴候を把握し、事故を未然に防止するのである。
【考案の効果】
【００１２】
本考案に係る、人体生理徴候の処理及び監測装置を組み込んだ運行設備は、従来の技術に基づく類似装置と比べて、下記の特点がある。
（１）本装置は運行設備に組み込まれているので、ドライバーやパイロットは如何なるとき、どこでも自身の生理徴候が感測でき、事故が未然に防止され、運行設備の運行中の安全が確保され、その付加価値も向上する。
（２）凡ての種類や形式の運行設備にも応用可能で便利である。
（３）即時触圧により感測、警告が可能なので効果が高く、操作が簡単、小型でコストも安く、応用範囲が広い。
【考案を実施するための最良の形態】
【００１３】
図1は、本考案に係る人体生理徴候の処理及び監測装置を組み込んだ、運行設備の構成説明図である。人体生理徴候の処理及び感測装置１は運行設備２の内部に設けられている。
【００１４】
運行設備２とは、各種の動力で駆動される、例えば機動車両、船舶、潜水艇、航空器（軍用機を含む）、スペース、シャトル、ロケットなどであり、人体生理徴候の処理及び感測装置１はその中に組み込まれている。
【００１５】
計測素子１１は人体の生理徴候、例えば心電図、脈拍、血糖、血圧、血中酸素、脳波、体温、呼吸等を感測し、これを生理徴候の処理及び感測装置１に通報する。計測素子１１は導電片の形式に作られ、運行設備２の操作器に結合されたり、操縦者（運転者）の手袋に連結されたりして、これを触圧することにより、動作して所望の信号が発信されるのである。
【００１６】
人体生理徴候の処理及び感測装置１は、計測素子11から受け取った生命徴候信号を処理して情報信号に変換し、これを表示装置12、通信装置21に出力するのである。人体生理徴候の処理及び感測装置１の機能は下記の如くである。
【００１７】
（１）Lead Iの心電現象、脈拍を計測、記録して心電図を作成する。またST segmentを監測し、心筋の酸素欠乏徴候を早期に探知する。その探知可能の範囲はLead II、III、或いはAVR、AVF、AVL及びV1〜V6に至り、一層正確な監測効果が得られる。
（２）指紋の識別。
（３）触圧による記録（触圧力変化により、生理状態を感測する）。
（４）血糖（非侵入式）、血圧（任意）、血中酸素、体温、流汗、呼吸、脳波など生命徴候の感測。
（５）RFIDを結合する機能。
（６）影像及び音声の記録。
（７）操縦者（運転者）の運行中に於ける生命徴候を記録して、個人の「生理機能監視ブラック・ボックス」の作成。
【００１８】
表示装置12は運行設備２内部の適当な位置に設けられ、人体生理徴候の処理及び感測装置１から出力された情報信号を受信し、これを表示したり、警報を発したりする。
【００１９】
通信装置２１は、人体生理徴候の処理及び感測装置1から出力された情報信号を受信して、これを遠隔地点の所望の目標に伝達する。
【００２０】
GPSとの交信機22は、人体生理徴候の処理及び感測装置1から出力された情報信号を受信して、GPSから位置決めを受け、またこの情報を遠隔地点の所望の目標に伝達する。
【００２１】
上記の表示装置１２、通信装置２１、またはGPS交信器２２を需要に応じて選択し、運行設備内の適当な位置に安置し、生理徴候の処理及び感測装置1からの情報信号を受信して、これを表示、警告、位置決め、または遠方に送信する、人体生理  徴候モニターを形成するのである。
【００２２】
本考案においては、人体の生理徴候を人体が計測素子11との接触により、1つの電気回路を形成し、感測された生理徴候信号を生理徴候の処理及び感測装置1で処理し、情報信号に転換し、選択的に表示装置12、通信装置21或いはGPS交信器22に出力して、表示したり、警報を発したり、位置決めをしたり、或いはこの信号を遠隔地に伝達したりして、遠方からでも操縦者（運転者）の生理状態を把握できるものである。
【００２３】
図2は本考案の1実施例図である。図2中の2つの導電片31は自動車のハンドル3の各々一方に位置しているので、ドライバーは両手の親指で簡単に触圧でき、1つの電気回路を形成する。生理徴候信号を処理及び感測装置1で情報信号に転換し、これを車内の表示装置4で表示または警報を出すのである。また通信装置でこの情報信号を遠隔地に伝達したり、GPSで位置決めすることもできる。このようにドライバー自身でも、リモートの監視者でも常時ドライバーの健康状態を把握でき、危険を未然に防ぐことができる。また、車上の顕著な位置に警報器を備え、後続の車両に警告を与えることもできる。
【００２４】
図3は本考案のもう1つの実施例図である。航空器のパイロット、特に軍用機のパイロットは瞬間的な生理や心理圧力を受けることが多く、心臓麻痺や心臓功能の異常を誘起し、人員や航空器の損失を招致する原因となるのである。この故図3では、2つの導電片51を航空器操縦桿5の両側に備え、パイロットが両手の親指で容易に触圧できるようにし、1つの電気回路を形成する。生理徴候信号を処理及び感測装置1で情報信号に転換し、これを機内の表示装置4で表示、または警報を出すのである。また通信装置でこの情報信号を遠隔地に伝達したり、GPSで位置決めすることもできる。このようにパイロットの生理状態を即時把握して、危険を未然に防ぐのである。このようにして得たパイロットの生理記録は、常時の飛行訓練の重要な参考資料ともなるであろう。
【００２５】
本考案は、本考案の技術的思想から逸脱することなく、他の種々の形態で実施することができる。上述の実施例はあくまでも、本考案の技術内容を明らかにするものであって、そのような具体例のみに限定して狭義に解釈されるべきものではなく、本考案の精神と請求の範囲内で色々と変更して実施することができるものである。
【図面の簡単な説明】
【００２６】
【図１】本考案に係る、人体生理徴候の処理及び監測装置とその周辺設備を組み込んだ構成説明図
【図２】本考案の第1実施例の説明図
【図３】本考案の第2実施例の説明図
【符号の説明】
【００２７】
１        人体生理徴候の処理及び感測装置
１１      計測素子
１２      表示装置
２        運行設備
２１      通信装置
２２      GPS交信器
３        自動車のハンドル
３１      導電片
４        表示装置
５        航空器の操縦桿
５１      導電片
【図１】
0003139011.tif 000003
【図２】
0003139011.tif 000004
【図３】
0003139011.tif 000005
【手続補正書】
【提出日】平成19年11月16日(2007.11.16)
【手続補正１】
【補正対象書類名】実用新案登録請求の範囲
【補正対象項目名】請求項１３
【補正方法】変更
【補正の内容】
【請求項１３】
前記人体生理徴候の処理及び監測装置は、血糖、血圧、血中酸素、体温、汗量、呼吸、脳
波などの生理徴候を感測する機能を有することを特徴とする、請求項1から請求項５のいずれかの1項に記載の運行設備。